(57)【要約】【課題】試験機に関する知識が乏しくとも、また、装置の操作に習熟していなくても、試験結果を表すグラフから処理項目に応じた最適な詳細表示を行うことのできる材料試験機を提供する。【解決手段】表示器３の画面上で、試験結果を表すグラフＣ上で処理項目の計算結果を表す表示位置と、ポインティングデバイスの指示位置３１との距離を算出する距離演算手段２６と、その求められた距離があらかじめ設定されている距離以内か否かを判別手段２７で判別する一方、各処理項目ごとに詳細表示の仕方を記憶する詳細表示方法記憶部２４を備え、ポインティングデバイスの指示位置３１が処理項目の計算結果の表示位置に対して上記距離以内に接近したとき、自動的に該当の処理項目に関する詳細表示を行うことで、各処理項目に関して常に最適な詳細表示を行うことを可能とする。【選択図】図２
2008197065.tif 000002
【特許請求の範囲】
【請求項１】
試験中に刻々と採取される試験データを記憶するデータ記憶手段と、その試験データを用いてあらかじめ設定されている処理項目に関する計算方法を記憶する計算方法記憶手段と、表示器に上記試験データに基づくグラフを表示するとともに、そのグラフ上に上記処理項目の計算結果を表示する表示処理手段と、ポインティングデバイスによる上記表示器の画面上での指示位置を検出する指示位置検出手段を備えた試験結果のグラフ表示装置において、
上記ポインティングデバイスの画面上の指示位置と上記処理項目の計算結果の表示位置との距離を演算する距離演算手段と、その演算された距離があらかじめ設定されている距離以内に接近しているか否かを判別する判別手段と、その判別結果に基づき、上記指示位置が処理項目の計算結果の表示位置に上記距離以内に接近している場合に、当該処理項目に関連するグラフ領域をあらかじめ詳細表示方法記憶手段に記憶されている内容に基づく表示方法のもとに詳細表示する表示制御手段を備えていることを特徴とする試験結果のグラフ表示装置。
【請求項２】
上記処理項目が複数種設定されており、上記詳細表示方法記憶手段に記憶されている詳細表示は、各処理項目ごとに定められていることを特徴とする請求項１に記載の試験結果のグラフ表示装置。
【発明の詳細な説明】
【技術分野】
【０００１】
本発明は試験結果のグラフ表示装置に関し、更に詳しくは、例えば材料試験機や分析装置等の試験結果等をグラフで表示するグラフ表示装置に関する。
【背景技術】
【０００２】
材料試験機や分析装置においては、一般に、試験中ないしは分析中のデータ（以下、試験データと称する）を刻々と記憶し、そのデータをグラフ表示する機能を備えたものが知られている。例えば材料試験機においては、引張試験を行う際に、試験片に作用する刻々の試験力（荷重）をロードセルで測定するとともに、負荷機構の変位を変位計で刻々とと検出し、各検出値をそれぞれ増幅およびデジタル化して記憶し、その各データを用いて試験力−変位曲線を表示器にをグラフ表示する（例えば特許文献１参照）。
【０００３】
また、材料試験機においては、通常、試験中に採取して記憶した試験力並びに変位のデータから、例えば耐力点など、あらかじめ設定されている処理項目に関する計算方法を記憶しており、その計算結果を上記のグラフ上にプロット等によって表示する機能を有している。
【０００４】
このようなグラフ表示から、例えば耐力点などのオペレータが着目する処理項目の評価を行う場合、従来、グラフ上での耐力点（計算結果）とそれに関連する係数、弾性率、合否判定基準（上下限）などのパラメータを含む領域を、オペレータがグラフ形状から判断してマウス等のポインティングデバイスを操作することによって指定し、その領域の詳細表示、具体的にはグラフの拡大表示を行わせている。また、グラフの形状からだけでは領域指定を行いにくい場合には、パラメータ設定機能により該当するパラメータの値、例えば荷重値あるいは伸び、を確認したうえで拡大領域を決定している。
【特許文献１】特開平１１−２８１５４９号公報
【発明の開示】
【発明が解決しようとする課題】
【０００５】
ところで、以上のような試験結果のグラフからの従来の処理項目に対応する所要領域の拡大表示の仕方では、基本的にグラフ形状から拡大すべき領域をオペレータが決定することになるが、その判断には試験に関する知識が不可欠である。また、グラフ形状から判断できない場合には、荷重などのパラメータの値を確認するなどして領域を決定する必要があるが、処理項目ごとに関連するパラメータが異なるために、確実に領域を決定できるようになるためには、オペレータが操作に習熟する必要がある。
【０００６】
本発明はこのような実情に鑑みてなされたもので、試験に関する知識が乏しくとも、また、装置の操作に習熟していなくても、試験結果を表すグラフから処理項目に応じた最適な詳細表示を行うことのできる試験結果のグラフ表示装置の提供をその課題としている。
【課題を解決するための手段】
【０００７】
上記の課題を解決するため、本発明の試験結果のグラフ表示装置は、試験中に刻々と採取される試験データを記憶するデータ記憶手段と、その試験データを用いてあらかじめ設定されている処理項目に関する計算方法を記憶する計算方法記憶手段と、表示器に上記試験データに基づくグラフを表示するとともに、そのグラフ上に上記処理項目の計算結果を表示する表示処理手段と、ポインティングデバイスによる上記表示器の画面上での指示位置を検出する指示位置検出手段を備えた試験結果のグラフ表示装置において、上記ポインティングデバイスの画面上の指示位置と上記処理項目の計算結果の表示位置との距離を演算する距離演算手段と、その演算された距離があらかじめ設定されている距離以内に接近しているか否かを判別する判別手段と、その判別結果に基づき、上記指示位置が処理項目の計算結果の表示位置に上記距離以内に接近している場合に、当該処理項目に関連するグラフ領域をあらかじめ詳細表示方法記憶手段に記憶されている内容に基づく表示方法のもとに詳細表示する表示制御手段を備えていることによって特徴づけられる（請求項１）。  
【０００８】
ここで、本発明においては、上記処理項目が複数種設定されており、上記詳細表示方法記憶手段に記憶されている詳細表示は、各処理項目ごとに定められている構成（請求項２）を好適に採用することができる。
【０００９】
本発明は、マウス等のポインティングデバイスの指示位置（表示位置）を、グラフ上の処理項目の計算結果の表示位置に近づけることにより、自動的にその処理項目に関する詳細表示を行うように構成することで、課題を解決しようとするものである。
【００１０】
すなわち、例えば引張試験における試験力−変位曲線上の耐力に着目する際、計算によりグラフ上に表示されている耐力点にポインティングデバイスを近づけるだけで、耐力に関連するグラフ領域が自動的に詳細表示される。従って、オペレータは拡大等ににより詳細表示すべき領域ないしはその拡大倍率等を自ら決定することなく、常に最適な詳細表示が行われる。
【００１１】
また、処理項目は、通常、複数種設定されるが、その場合、請求項２に係る発明のように、各処理項目ごとにその表示方法を設定しておくことが好ましく、その表示方法としては、拡大表示領域のほか、各項目ごとに補助線表示や折れ線／散布図表などの表示方法を設定しておき、自動的に指定された項目に対応する表示方法のもとに詳細表示を行うようにすることが更に好ましい。
【発明の効果】
【００１２】
本発明によれば、試験データに基づいて作成されて表示されているグラフ上の処理項目の算出結果にポインティングデバイスの指示位置を近づけるだけで、自動的にその処理項目に関連するグラフ領域の詳細表示が行われるので、試験に関する知識が少なく、操作に不慣れなオペレータでも確実に試験結果の評価を行うことが可能となる。
【発明を実施するための最良の形態】
【００１３】
以下、図面を参照しつつ本発明の実施の形態について説明する。
図１は本発明を材料試験機に適用した実施の形態の全体構成図であり、図２はその制御装置２におけるデータ処理および表示制御に関する機能を概念的に表すブロック図である。
【００１４】
試験機本体１は、テーブル１１に対して２本のねじ棹１２ａ，１２ｂを垂直に回動自在に支持し、そのねじ棹１２ａ，１２ｂにクロスヘッド１３の両端部をナットを介して支持した構造を有し、モータを主体とする駆動装置１５の駆動によりねじ棹１２ａ，１２ｂが回転し、クロスヘッド１３が上下動するようになっている。
【００１５】
試験片Ｗは、テーブル１１の上面とクロスヘッド１３の下面にそれぞれ設けられている掴み具１４ａ，１４ｂにその両端部が把持された状態で試験に供され、クロスヘッド１３を上昇させることによって試験片Ｗに引張荷重が加えられる。
【００１６】
上側の掴み具１４ｂは、ロードセル１６を介してクロスヘッド１３に取り付けられており、このロードセル１６によって試験中に試験片Ｗに作用する刻々の試験力（引張荷重）が検出される。また、駆動装置１５の駆動によるクロスヘッド１３の変位は変位計１７によって刻々と検出される。更に、試験片Ｗには伸び計１８が装着されており、この伸び計１８によって試験片Ｗの刻々の伸びが検出される。
【００１７】
ロードセル１６および変位計１７、および伸び計１８の出力は制御装置２に取り込まれる。制御装置２はパーソナルコンピュータとその周辺機器を主体とし、ロードセル１６、変位計１７および伸び計１８の出力を増幅するアンプ並びにＡ−Ｄ変換器を含み、また、駆動装置１５のモータドライバ等を含んでいる。また、この制御装置２には、以下に示すグラフ等を表示するための表示器３と、各種指令を与えるためのキーボード４１とマウス４２等を含む操作部４が接続されている。そして、パーソナルコンピュータには、図２にその機能ごとのブロック図を概念的に示すような動作を実行するプログラムがインストールされている。
【００１８】
さて、図２を参照しつつ、引張試験を行う場合の本発明の実施の形態における試験データの処理の仕方並びに試験結果のグラフ表示の仕方について、荷重−変位のグラフを表示する場合を例にとって以下に詳述する。
【００１９】
試験中のロードセル１６および変位計１７の出力は、増幅された後にデジタル化され、試験データ記憶部２１に記憶されていく。表示処理部２２は、試験データ記憶部２１に記憶されている試験データに基づくグラフ表示、この例の場合は試験力並びに変位データを用いて試験力−変位曲線を構築し、表示器３に表示する。
【００２０】
耐力や破断点などの複数の処理項目についてのそれぞれの計算方法は、あらかじめ計算方法記憶部２３に記憶されている。そして、その各処理項目についての計算結果は表示処理部２２に送られる。表示処理部２２では、図３にグラフ表示例を示すように、上記した試験力−変位曲線Ｃ上にその計算結果、例えば耐力点Ｐ，破断点Ｒ、およびこれらの中間点Ｍをプロット表示等によって併せて表示する。
【００２１】
また、以上の各処理項目ごとに、あらかじめ詳細表示方法が定められており、その各詳細表示方法は詳細表示方法記憶部２４に記憶されている。例えば耐力についての詳細表示を図４に示す。この例では、試験力−変位曲線Ｃのうち、試験結果を用いて算出された耐力を中心とする所定領域を拡大表示すると同時に、弾性率を表す線Ｅおよび耐力を決定するために用いられる０．２％永久ひずみを表す線Ｓ0.2 を表示し、更には算出された耐力の値、係数（耐力計算のための永久ひずみの％）、弾性率、合否判定結果とその上下限値を数値表示する表Ｔを併せて表示している。
【００２２】
指示位置検出部２５は、表示器３の画面上でのマウス４２による指示位置、つまりポインタの画面上での位置を検出する。その検出結果は距離演算部２６に取り込まれ、上記した試験結果に基づいて構築されて表示器３に表示されている試験力−変位曲線上の各処理項目の計算結果に対応する各プロットの位置との距離の計算に供される。そして、その距離の算出結果は判別部２７に取り込まれ、その算出された距離があらかじめ設定されている距離以内であるか否かが判別される。そして、マウス４２による指示位置がいずれかの処理項目の計算結果に対応するプロット位置に対して上記のあらかじめ設定されている距離以内に接近すると、前記した詳細表示方記憶部２４に記憶されている各詳細表示方法のうち、該当する処理項目に関する詳細表示方法が表示処理部２２に送られ、その処理項目に関する詳細表示が表示器３に表示される。
【００２３】
すなわち、オペレータがマウス４２を操作して、そのポインタの位置を、試験全体を表す試験力−変位曲線Ｃ上でプロットで表されている各処理項目ごとの計算結果に対して接近させるだけで、該当する処理項目に関する詳細表示が自動的に表示される。
【００２４】
表示器３の表示例を図５に示す。この例は耐力に関する詳細表示を行わせている状態を示している。すなわち、表示器３には、試験全体の試験力−変位曲線Ｃに各処理項目に対応するプロットを併記した前記図３に示したグラフを一つのウインドウＷ１に表示するとともに、別のウインドウＷ２に耐力に関する前記図４に示した詳細表示を行っている。このウインドウＷ２への耐力に関する詳細表示を行わせるには、ウインドウＷ１の耐力のプロットＰに、マウス４２のポインタ３１の位置を規定距離以内に接近させるだけでよい。  
【００２５】
従って、以上の本発明の実施の形態によると、オペレータは、ウインドウＷ１上で、マウス４２の操作によりポインタ３１を希望する処理項目のプロットに接近させるだけで、各処理項目に関連する最適な詳細表示が行われることになり、試験の知識が乏しかったり、操作に習熟していなくても、試験結果に基づく各処理項目に関して常に正確な評価を行うことができる。
【００２６】
ここで、以上の説明では、耐力に関する詳細表示のみを示したが、破断点や中間点などの他の処理項目についても、それぞれの処理項目に対して最適な詳細表示を記憶しておけばよく、その場合、各処理項目ごとに試験力−変位曲線Ｃの拡大表示領域のほか、その拡大倍率をもそれぞれの処理項目を詳細表示するのに最適な倍率に設定しておくことが好ましい。
【００２７】
また、以上の実施の形態では、材料試験機による引張試験の試験結果のうち、試験力−変位曲線を全体表示し、その各処理項目の表示の仕方について述べたが、試験力−伸び曲線を全体表示して各処理項目を表示するように構成することもでき、また、材料試験機による他の試験についても本発明を適用し得ることは言うまでもない。更には、材料試験機以外の例えば分析装置による試験（分析）結果の表示にも本発明を適用し得ることは勿論である。
【図面の簡単な説明】
【００２８】
【図１】本発明を材料試験機に適用した実施の形態の全体構成図である。
【図２】本発明の実施の形態の制御装置におけるデータ処理および表示制御に関する機能を概念的に表すブロック図である。
【図３】本発明の実施の形態における試験全体のグラフ表示の例の説明図である。
【図４】本発明の実施の形態における耐力に関する詳細表示の例の説明図である。
【図５】本発明の実施の形態における表示器への表示例の説明図である。
【符号の説明】
【００２９】
１  試験機本体
１１  テーブル
１２ａ，１２ｂ  ねじ棹
１３  クロスヘッド
１４ａ，１４ｂ  掴み具
１５  駆動装置
１６  ロードセル
１７  変位計
１８  伸び計
２  制御装置
２１  試験データ記憶部
２２  表示処理部
２３  計算方法記憶部
２４  詳細表示方法記憶部
２５  指示位置検出部
２６  距離演算部
２７  判別部
３  表示器
３１  ポインタ
４  操作部
４１  キーボード
４２  マウス
Ｃ  試験力−変位曲線
Ｅ  弾性率を表す線
Ｍ  中間点
Ｐ  耐力点
Ｒ  破断点
Ｓ0.2   ０．２％永久ひずみの線
Ｔ  表
Ｗ１，Ｗ２  ウインドウ
【図１】
2008197065.tif 000003
【図２】
2008197065.tif 000004
【図３】
2008197065.tif 000005
【図４】
2008197065.tif 000006
【図５】
2008197065.tif 000007